(57)【特許請求の範囲】
【請求項１】
フューエルインジェクションレールに取り付けられるパルセーションダンパーにおいて、減衰室が内部に形成され、燃料が燃料供給管から前記減衰室に直接流入しない位置で前記フューエルインジェクションレールに下向きの姿勢で固定される前記パルセーションダンパーの本体と、前記パルセーションダンパーの本体に螺合し前記フューエルインジェクションレールに前記パルセーションダンパーの本体を固定するためのスタッドボルトと、を備え、前記スタッドボルトは、前記燃料供給管の出口と対向しない位置に開口し、前記フューエルインジェクションレール内の燃料の圧力変動を前記減衰室に導入する複数の通路を有し、前記通路は、前記減衰室と前記フューエルインジェクションレールとの間で、当該フューエルインジェクションレール内部の圧力勾配を利用して燃料を循環させることを特徴とするパルセーションダンパー。
【請求項２】
前記通路は、前記スタッドボルトに軸方向に貫通する複数の穴からなり、前記穴の開口位置が燃料の圧力勾配の方向に分散するようにしたことを特徴とする請求項１に記載のパルセーションダンパー。
【請求項３】
前記通路は、前記スタッドボルトに軸方向に貫通する１つの貫通穴を形成し、前記貫通穴を仕切り板で仕切ることにより複数の通路を形成し、前記貫通穴の開口位置が燃料の圧力勾配の方向に分散するようにしたことを特徴とする請求項１に記載のパルセーションダンパー。
【請求項４】
前記通路は、前記スタッドボルトの中心に軸方向に貫通穴を形成するとともに、前記スタッドボルトの外周に前記通路となる複数の溝を形成し、前記溝の開口位置が燃料の圧力勾配の方向に分散するようにしたことを特徴とする請求項１に記載のパルセーションダンパー。
【発明の詳細な説明】
【技術分野】
【０００１】
本発明は、自動車のエンジンの燃料噴射装置に燃料を分配するフューエルインジェクションレールや燃料配管に取り付けて、燃料の脈動を減衰させるパルセーションダンパーに関する。
【背景技術】
【０００２】
自動車の燃料供給系では、燃料噴射装置のインジェクターが開閉するたびに、燃料の脈動現象が顕著に表れる。燃料の脈動は、燃料配管を介して車体の床下から車内に騒音として伝わるという問題を惹起する。このため、燃料の脈動を低減させるために、パルセーションダンパーをフューエルインジェクションレールに取り付けることが従来から行われている（例えば、特許文献１）。
【０００３】
図６は、パルセーションダンパーの従来例を示す。参照番号１は、フューエルインジェクションレールの本体を示し、２はインジェクターを取り付けるためのインジェクターカップ、３はパルセーションダンパーを示す。燃料は、燃料供給管４からフューエルインジェクションレールの本体１に導入され、インジェクターカップ３に取り付けられている図示しないインジェクターからエンジンの気筒内に噴射される。
【０００４】
図７は、図６のパルセーションダンパー３の断面を示す。パルセーションダンパーの本体５には、減衰室６が形成されており、この減衰室６に燃料が導入される。減衰室６の底面はスプリングで支持されている。パルセーションダンパー３の本体５は、フランジ付きのスタッドボルト８を介してフューエルインジェクションレールの本体１に固定される。このパルセーションダンパー３では、本体５を固定するスタッドボルト８には通路９が形成され、燃料はこの通路９を通じて減衰室６と連通するようになっている。パルセーションダンパー３の本体５には、スタッドボルト８の雄ねじに対応する雌ねじが切ってあり、フューエルインジェクションレールの本体１に固定されたスタッドボルト８にパルセーションダンパー３の本体５をねじ込むことで固定することができる。
【先行技術文献】
【特許文献】
【０００５】
【特許文献１】特開２０００−１０４６３６号公報
【発明の概要】
【発明が解決しようとする課題】
【０００６】
このようなパルセーションダンパー３では、ガソリンから分離した水（または不純物）が減衰室６に入り込み、減衰室に滞留してしまうことがある。また、近年では、ガソリンにアルコールを混合した燃料が使われるようになっており、このようなアルコール混合燃料を使用していると、パルセーションダンパー３の減衰室６に水（または不純物）が溜まることが多い。このような水（または不純物）が減衰室６に滞留すると、本体５の内面に錆びが発生し、ダンピング機能を阻害するという問題がある。錆びの発生が進行すると、最悪の場合には燃料漏れの虞がある。
【０００７】
そこで、本発明の目的は、前記従来技術の有する問題点を解消し、水や不純物等がパルセーションダンパー本体内の減衰室に滞留することを防止できるようにしたパルセーションダンパーを提供することにある。
【課題を解決するための手段】
【０００８】
前記の目的を達成するために、本発明は、フューエルインジェクションレールに取り付けられるパルセーションダンパーにおいて、減衰室が内部に形成され、燃料が燃料供給管から前記減衰室に直接流入しない位置で前記フューエルインジェクションレールに下向きの姿勢で固定される前記パルセーションダンパーの本体と、前記パルセーションダンパーの本体に螺合し前記フューエルインジェクションレールに前記パルセーションダンパーの本体を固定するためのスタッドボルトと、を備え、前記スタッドボルトは、前記燃料供給管の出口と対向しない位置に開口し、前記フューエルインジェクションレール内の燃料の圧力変動を前記減衰室に導入する複数の通路を有し、前記通路は、前記減衰室と前記フューエルインジェクションレールとの間で、当該フューエルインジェクションレール内部の圧力勾配を利用して燃料を循環させることを特徴とするものである。
【０００９】
本発明の好適な実施形態によれば、前記通路は、前記スタッドボルトに軸方向に貫通する複数の穴からなる。また他の実施形態によれば、前記スタッドボルトに軸方向に貫通する１つの貫通穴を形成し、前記貫通穴を仕切り板で仕切ることにより複数の通路が形成される。
【００１０】
前記スタッドボルトの中心に軸方向に貫通穴を形成するとともに、前記スタッドボルトの外周に前記通路となる複数の溝を形成するようにしてもよい。
【図面の簡単な説明】
【００１１】
【図１】本発明の第１実施形態によるパルセーションダンパーを示す縦断面図である。
【図２】図１のII-II横断面図である。
【図３】本発明の第１実施形態によるパルセーションダンパーの他の変形例を示す横断面図である。
【図４】本発明の第２実施形態によるパルセーションダンパーを示す縦断面図である。
【図５】本発明の第３実施形態によるパルセーションダンパーを示す縦断面図である。
【図６】従来のパルセーションダンパーを示す斜視図である。
【図７】従来のパルセーションダンパーを示す縦断面図である。
【発明を実施するための形態】
【００１２】
以下、本発明によるパルセーションダンパーの一実施形態について、添付の図面を参照しながら説明する。  
第１実施形態  
図１は、本発明の第１の実施形態によるパルセーションダンパーを示す。図１において、参照番号１０は、フューエルインジェクションレールの本体を示し、参照番号１２は、本実施形態によるパルセーションダンパーを示す。
【００１３】
このパルセーションダンパー１２の本体１４の内部には、減衰室１５が形成されている。この減衰室１５には、燃料の脈動を吸収させるために底板１６が設けられており、この底板１６は、スプリング１７によって付勢されている。なお、燃料の脈動を吸収する機構としては、底板１６をスプリング１７で付勢する替わりにダイヤフラム機構を用いるようにしてもよい。
【００１４】
パルセーションダンパー１２の本体１４は、スタッドボルト１８を用いてフューエルインジェクションレールの本体１０に固定されている。パルセーションダンパー１２の本体１４には雌ねじが形成されており、スタッドボルト１８は、この雌ねじに螺合するようになっている。この実施形態では、スタッドボルト１８には、フランジ部１９が形成されているフランジ付きスタッドボルトが用いられている。このフランジ部１９は、パルセーションダンパー１２の減衰室１５を閉じる蓋としての役割も果たしている。また、フランジ部１９の上面には、円環状の凸部２０が形成されており、この凸部２０は、フューエルインジェクションレールの本体１０の底面に開口する穴２１にぴったりと嵌合するようになっていて、ろう付け等によって接合されている。
【００１５】
本実施形態では、図１、図２に示すように、フューエルインジェクションレールの本体１０と減衰室１５との間で燃料を循環させる２つの通路２２ａ、２２ｂが、次のように、スタッドボルト１８に軸方向に貫通するように形成されている。  
本実施形態の場合、通路２２ａ、２２ｂがフューエルインジェクションレールの本体１０に開口する位置は、フューエルインジェクションレールの本体１０内において生じる圧力勾配の方向に分散するようになっている。図示しないインジェクターから燃料が噴射されることで、フューエルインジェクションレールの本体１０内部の燃料圧力が変動し、例えば、矢印で示すように、高圧から低圧へ向かう圧力勾配が生じる。通路２２ａ、２２ｂの間には差圧が生じるので、一方の通路２２ａは、減衰室１５に燃料を導入する通路となり、他方の通路２２ｂは減衰室１５から燃料をフューエルインジェクションレールの本体１０に戻す通路になる。
【００１６】
本実施形態によるパルセーションダンパーは、以上のように構成されるものであり、次に、その作用並びに効果について説明する。
【００１７】
フューエルインジェクションレールの本体１０には、長手方向に複数の図示しないインジェクターが取り付けられており、これらインジェクターが燃料の噴射を繰り返すと、本体１０の内部には、圧力変動とともに圧力勾配が生じる。
【００１８】
インジェクターが閉じて燃料の圧力が高まると、その圧力によってパルセーションダンパー１２の減衰室１５にあるスプリング１７が圧縮され、圧力が下がるとスプリング１７が伸びるというように、スプリングの弾性エネルギーに転換することで脈動を吸収することができる。
【００１９】
さらに、圧力勾配があることによって、パルセーションダンパー１２には、次のようにして、スタッドボルト１８に形成した通路２２ａ、２２ｂを通ってフューエルインジェクションレールの本体１０とパルセーションダンパー１２の減衰室１５との間で燃料が循環するようになる。
【００２０】
図１において、例えば、矢印で示すように、高圧から低圧への圧力勾配が生じた場合、通路２２ａ、２２ｂの間には差圧が生じることになるので、一方の通路２２ａは、減衰室１５に燃料を導入する通路となり、他方の通路２２ｂは、燃料を減衰室１５からフューエルインジェクションレールの本体１０に戻す通路となる。
【００２１】
このようにして、フューエルインジェクションレールとパルセーションダンパー１２の間で常に燃料を循環させることができるので、従来のパルセーションダンパーとは異なり、燃料から分離した水を滞留させることなく、確実に減衰室１５から排出することができる。また、様々な不純物についても、同じようにして減衰室１５から排出することができる。
【００２２】
さらに、このような循環通路を、パルセーションダンパー１２を固定するスタッドボルト１８に形成しているため、循環のために配管を接続する必要がなく、パルセーションダンパー１２そのものをフューエルインジェクションレールの本体１０に固定するだけで済み、レイアウト上の制約を受けることがない。
【００２３】
なお、以上説明した実施形態は、スタッドボルト１８にその軸方向に二つの穴からなる通路２２ａ、２２ｂを形成した例であるが、図３（ａ）に示すように、通路として３つの穴２４ａ、２４ｂ、２４ｃを形成したり、あるいは図３（ｂ）に示すように、４つの穴２５ａ、２５ｂ、２５ｃ、２５ｄにしてもよい。圧力勾配の方向に分散していれば、５穴以上であってもよい。
【００２４】
第２実施形態  
次に、本発明の第２の実施形態によるパルセーションダンパーについて、図４を参照して説明する。なお、図１と同一の構成要素には、同一の参照符合を付してその詳細な説明は省略する。  
この第２実施形態では、スタッドボルト１８に、１つの貫通穴を軸方向に形成し、この貫通穴を仕切り板２６で仕切ることよって、２つの通路２７ａ、２７ｂを形成している。この場合、通路２７ａ、２７ｂは、圧力勾配の方向に分散しており、通路２７ａ、２７ｂの間には差圧が生じることになるので、フューエルインジェクションレールとパルセーションダンパー１２の間で常に燃料を循環させることができるのは、第１実施形態と同様である。
【００２５】
なお、この第２実施形態においても、仕切り板２６によって仕切られる通路は、２つに限られるものではなく、３以上の通路を仕切るようにしてもよい。
【００２６】
第３実施形態  
次に、図５は、本発明の第３の実施形態によるパルセーションダンパーを示す。なお、図１と同一の構成要素には、同一の参照符合を付してその詳細な説明は省略する。  
この第３実施形態では、スタッドボルト１８の中心に貫通穴３０を形成するとともに、スタッドボルト１８の外周のねじ部に溝を切ることによって、通路３１ａ、３１ｂを形成し、さらに、フランジ部１９に穴３２ａ、３２ｂを形成した実施形態である。
【００２７】
この第３実施形態の場合、穴３２ａ、３２ｂと貫通穴３０の開口は、圧力勾配の方向に分散しており、差圧が生じることになるので、フューエルインジェクションレールとパルセーションダンパー１２の間で常に燃料を循環させることができる。
【００２８】
以上、本発明に係るパルセーションダンパーついて、フューエルインジェクションレールの本体にパルセーションダンパーを取り付ける実施形態を挙げて説明したが、本発明のパルセーションダンパーは、フューエルインジェクションレールに燃料を供給する燃料配管に直接取り付けるようにしてよい。
【００２９】
一部縦断面図である。
【符号の説明】
【００３０】
１０…フューエルインジェクションレールの本体、１２…パルセーションダンパー、１５…減衰室、１６…底板、１７…スプリング、１８…スタッドボルト、１９…フランジ部、２２ａ、２２ｂ…通路
【図１】
0005791890.tif 000002
【図２】
0005791890.tif 000003
【図３】
0005791890.tif 000004
【図４】
0005791890.tif 000005
【図５】
0005791890.tif 000006
【図６】
0005791890.tif 000007
【図７】
0005791890.tif 000008